(57)【要約】【課題】ＰＯＳ端末等の商品販売データ処理装置の静電気対策を効果的に行う。【解決手段】商品販売データ処理装置１０１は、情報入力するための入力部１０４，１１１と、静電気除去材１３１が上面に設けられ押下自在な静電気除去キー１６１とを備えている。商品販売データ処理装置１０１の情報処理部は、入力部１０４，１１１から入力された情報に基づいて商品販売データ処理を実行し、商品販売データ処理の終了後に入力部１０４，１１１による情報入力を禁止する禁止モードを設定する。また、静電気除去キー１６１の押下に応じてこの禁止モードの設定を解除する。【選択図】図１
2010113492.tif 000002
【特許請求の範囲】
【請求項１】
情報処理を実行する情報処理部と、
静電気除去機能を有する静電気除去材が上面に設けられ押下自在な静電気除去キーと、
情報入力するための入力部と、
前記情報処理部が、前記入力部から入力された情報に基づいて商品販売データ処理を実行する手段と、
前記情報処理部が、前記商品販売データ処理の終了後に前記入力部による情報入力を禁止する禁止モードを設定する手段と、
前記情報処理部が、前記静電気除去キーの押下に応じて前記禁止モードの設定を解除する手段と、
を備える商品販売データ処理装置。
【請求項２】
前記情報処理部は、前記静電気除去キーの押下に応じて、当該静電気除去キーの押下時間を計時し、当該押下時間が規定時間に達したと判定した場合には、前記禁止モードの設定を解除する、
請求項１記載の商品販売データ処理装置。
【請求項３】
情報表示機能を有する表示部を備え、
前記情報処理部は、前記静電気除去キーの押下時間が規定時間に達しなかったと判定した場合には、当該規定時間以上の前記静電気除去キーの押下を促すエラーメッセージを前記表示部に表示する、
請求項２記載の商品販売データ処理装置。
【請求項４】
前記情報処理部は、前記禁止モードを設定すると共に、前記静電気除去キーの押下を促す静電気除去メッセージを前記表示部に表示する、
請求項３記載の商品販売データ処理装置。
【請求項５】
静電気除去機能を有する静電気除去材が上面に設けられ押下自在な静電気除去キーと、情報入力するための入力部と、を備える商品販売データ処理装置のコンピュータにインストールされて、当該コンピュータに、
前記入力部から入力された情報に基づいて商品販売データ処理を実行する機能と、
前記商品販売データ処理の終了後に前記入力部による情報入力を禁止する禁止モードを設定する機能と、
前記静電気除去キーの押下に応じて前記禁止モードの設定を解除する機能と、
を実行させるコンピュータプログラム。
【請求項６】
前記商品販売データ処理装置のコンピュータに、
前記静電気除去キーの押下に応じて、当該静電気除去キーの押下時間を計時し、当該押下時間が規定時間に達したと判定した場合には、前記禁止モードの設定を解除する機能を実行させる、
請求項５記載のコンピュータプログラム。
【発明の詳細な説明】
【技術分野】
【０００１】
本発明は、ＰＯＳ端末等の商品販売データ処理装置、及び、商品販売データ処理装置用のコンピュータプログラムに関する。
【背景技術】
【０００２】
電子機器のユーザが帯電している場合、ユーザから電子機器内に静電気が侵入して回路に流れる等の要因により、電子機器が誤作動や故障を起こすことがある。そこで、あらゆる電子機器には、静電気対策が施されている。このような静電気対策は、電子機器の一種である商品販売データ処理端末（例えばＰＯＳ端末）に対しても必要とされる。静電気対策が施されたＰＯＳ端末として、例えば特許文献１には、本体に挿入される鍵（回転位置によりＰＯＳ端末の設定が変更される）を介して侵入する静電気の影響を無くすようにしたものが記載されている。
【０００３】
【特許文献１】特開２００７−３４６３５公報
【発明の開示】
【発明が解決しようとする課題】
【０００４】
ところで、ＰＯＳ端末のユーザが本体に挿入された鍵に触れる機会は、ＰＯＳ端末の設定変更をする場合だけである。このような設定変更の機会は、ユーザの使用権限を変更する場合等に限られるため少ない。したがって、特許文献１に記載された技術による静電気対策の効果は限定的なものとなる。
【０００５】
本発明の目的は、静電気対策が施された商品販売データ処理装置を提供することである。
【課題を解決するための手段】
【０００６】
本発明の商品販売データ処理装置は、情報処理を実行する情報処理部と、静電気除去機能を有する静電気除去材が上面に設けられ押下自在な静電気除去キーと、情報入力するための入力部と、を備え、前記情報処理部が、前記入力部から入力された情報に基づいて商品販売データ処理を実行し、前記商品販売データ処理の終了後に前記入力部による情報入力を禁止する禁止モードを設定し、前記静電気除去キーの押下に応じて前記禁止モードの設定を解除する。
【０００７】
本発明のコンピュータプログラムは、静電気除去機能を有する静電気除去材が上面に設けられ押下自在な静電気除去キーと、情報入力するための入力部と、を備える商品販売データ処理装置のコンピュータにインストールされて、当該コンピュータに、前記入力部から入力された情報に基づいて商品販売データ処理を実行する機能と、前記商品販売データ処理の終了後に前記入力部による情報入力を禁止する禁止モードを設定する機能と、前記静電気除去キーの押下に応じて前記禁止モードの設定を解除する機能と、を実行させる。
【発明の効果】
【０００８】
本発明によれば、禁止モードの設定を解除して情報処理部に商品販売データ処理を実行させるためには、ユーザは必ず静電気除去材に触れることになるので、ＰＯＳ端末等の商品販売データ処理装置の静電気対策を効果的に行うことができる。
【発明を実施するための最良の形態】
【０００９】
本発明の実施の形態について図１ないし図６に基づいて説明する。本実施の形態の商品販売データ処理装置は、ＰＯＳ端末１０１への適用例である。
【００１０】
図１は、ＰＯＳ端末１０１を示す外観斜視図である。ＰＯＳ端末１０１は、板金製のレジ台３０１に載置されたドロワ１０２の上に載置されている。レジ台３０１は、床面（図示せず）に設置されている。ＰＯＳ端末１０１の上面には、ＰＯＳ端末１０１を操作するオペレータに向けて情報を表示するオペレータ用表示器１０５が配置されている。オペレータ用表示器１０５よりも奥側には、顧客に向けて情報を表示する客用表示器１０７が立設されている。オペレータ用表示器１０５の左側には、レシート（図示せず）を印刷発行するレシートプリンタ１０６が設けられている。また、ＰＯＳ端末１０１には、通信ケーブル（図示せず）を介して上位装置等の外部機器と通信を実行するための通信インターフェース１１３（図３参照）が内蔵されている。
【００１１】
ＰＯＳ端末１０１には、入力部としてのバーコードスキャナ１１１が接続されている。バーコードスキャナ１１１は、商品にバーコード形態で付された商品コードを読み取って出力する。バーコードスキャナ１１１から出力された商品コードはＰＯＳ端末１０１に入力される。ＰＯＳ端末１０１には、オペレータ用表示器１０５の手前側に位置させて、情報を入力する入力部としてのキーボード１０４が押下可能に配置されている。
【００１２】
図２は、キーボード１０４を示す模式図である。キーボード１０４は、各機能が割り当てられた複数個のキーを有する。キーボード１０４が有するキーは、例えば、数字を入力するためのテンキー１０４ａ、上面に「小計」と表示された仮締めキー１０４ｂ、上面に「現計」と表示された締めキー１０４ｃである。さらに、ＰＯＳ端末１０１（図１参照）の上面には、キーボード１０４に隣接させて、静電気除去キー１６１が押下可能に配置されている。静電気除去キー１６１の表面には、静電気除去材としての静電気除去シート１３１が貼付されている。静電気除去シート１３１は、一例として、ゴムシートである基材と導電性粉体が混入された機能材とが組み合わされて構成されている。静電気除去シート１３１には、「静電気除去」という文字列が印字されている。静電気除去シート１３１は、図１に示すように、導線１３２によって、板金製のレジ台３０１と接続されている。静電気除去シート１３１が静電気除去キー１６１の表面に貼付されているため、静電気除去キー１６１を押下する際、オペレータは必ず静電気除去シート１３１に触れることになる。すると、オペレータに帯電している電気は静電気除去シート１３１に流れ出る。オペレータから静電気除去シート１３１に流れ出た静電気は、導線１３２を介してレジ台３０１に拡散する過程で空気中に放電される。
【００１３】
図３は、ＰＯＳ端末１０１のハードウェア構成を示すブロック図である。ＰＯＳ端末１０１は、各種演算処理を実行し各部を制御するＣＰＵ２０１を備えている。ＣＰＵ２０１には、ＲＯＭ２０２、ＲＡＭ２０３、及び、ＨＤＤ２０４がバス接続されている。ＨＤＤ２０４には、コンピュータプログラム２５２や各種ファイルが記憶されている。ファイルの一例は、商品コードに対応付けて商品情報（商品名、単価等）を記憶するＰＬＵファイル２５３である。ＨＤＤ２０４に記憶されているコンピュータプログラム２５２や各種ファイルは、ＰＯＳ端末１０１の起動時、その全部又は一部がＲＡＭ２０３にコピーされて使用される。
【００１４】
ＣＰＵ２０１には、前述したドロワ１０２、キーボード１０４、オペレータ用表示器１０５、レシートプリンタ１０６、客用表示器１０７、バーコードスキャナ１１１、通信インターフェース１１３、静電気除去キー１６１が、いずれも各種の入出力回路（いずれも図示せず）を介して接続され、ＣＰＵ２０１によって動作制御される。
【００１５】
ＰＯＳ端末１０１のＣＰＵ２０１は、コンピュータプログラム２５２に従い、商品販売データ処理を実行する。ここで、商品販売データ処理について概略的に説明する。まず、取引が開始されると、オペレータは商品に付された商品コードをバーコードスキャナ１１１に読み取らせる。すると、ＰＯＳ端末１０１には商品コードが入力される。そこで、ＰＯＳ端末１０１のＣＰＵ２０１は、この商品コードに対応する商品情報をＰＬＵファイル２５３から取得してＲＡＭ２０３に記憶する処理を実行する。この処理は、オペレータによって仮締めキー１０４ｂが押下されるまで実行される。ＰＯＳ端末１０１のＣＰＵ２０１は、仮締めキー１０４ｂの押下を判定すると、ＲＡＭ２０３に記憶された商品情報に含まれる単価に基づいて合計金額を算出してＲＡＭ２０３に記憶する。このとき、ＰＯＳ端末１０１のＣＰＵ２０１は、テンキー１０４ａの押下によって入力される預り金額もＲＡＭ２０３に記憶する。そして、ＰＯＳ端末１０１のＣＰＵ２０１は、締めキー１０４ｃの押下を判定すると、ＲＡＭ２０３に記憶されている預り金額と合計金額とに基づいて釣銭金額を算出してＲＡＭ２０３に記憶する。さらに、ＰＯＳ端末１０１のＣＰＵ２０１は、ドロワ１０２を駆動制御して引出し１０３を開放させ、レシートプリンタ１０６を駆動制御してＲＡＭ２０３に記憶された商品情報や金額等が印刷されたレシートを発行させる。こうして、一取引分の商品販売データ処理が終了する。なお、このような商品販売データ処理装置の実行中、ＰＯＳ端末１０１のＣＰＵ２０１は、オペレータ用表示器１０５と客用表示器１０７とに、商品情報や金額等の必要な情報を適宜表示させている。
【００１６】
ところで、ＰＯＳ端末１０１のＣＰＵ２０１は、このような商品販売データ処理の終了に応じて、コンピュータプログラム２５２に従って「禁止モード」を設定する。「禁止モード」を設定することにより、ＰＯＳ端末１０１のＣＰＵ２０１は、各々の入出力回路を制御する等して、キーボード１０４（静電気除去キー１６１を除く）及びバーコードスキャナ１１１の機能を停止する。こうして、静電気除去キー１６１を除くキーボード１０４とバーコードスキャナ１１１とによる情報入力機能が禁止されるので、バーコードスキャナ１１１からＰＯＳ端末１０１に商品コードを入力したりテンキー１０４ａを押下して数字を入力したりすることができなくなる。つまり、「禁止モード」の設定中は、ＰＯＳ端末１０１のＣＰＵ２０１に商品販売データ処理を実行させることはできない。
【００１７】
次に、「禁止モード」に設定されたＰＯＳ端末１０１のＣＰＵ２０１が実行する処理について図４に基づいて説明する。
【００１８】
図４は、ＰＯＳ端末１０１のＣＰＵ２０１が実行する処理の流れを示すフローチャートである。「禁止モード」の設定中、ＰＯＳ端末１０１のＣＰＵ２０１は、オペレータ用表示器１０５に静電気除去メッセージＭ１（図５参照）を表示している（ステップＳ１０１）。
【００１９】
図５は、静電気除去メッセージＭ１が表示されたオペレータ用表示器１０５を示す模式図である。オペレータ用表示器１０５には、通常、商品販売データ処理中に情報を表示するための基本画面（図示せず）が表示されている。ところが、「禁止モード」が設定されている場合、図５に示すように基本画面はグレーアウトされている。そして、グレーアウトされた基本画面上には、静電気除去メッセージＭ１を示すウインドウＷが表示されている。静電気除去メッセージＭ１は、一例として、「静電気除去キーを押下して下さい」という文字列である。オペレータ用表示器１０５に表示された静電気除去メッセージＭ１によって、オペレータに対して静電気除去キー１６１の押下操作を促すことができる。
【００２０】
図４の説明に戻る。ＰＯＳ端末１０１のＣＰＵ２０１は、静電気除去キー１６１の押下を判定すると（ステップＳ１０２のＹ）、静電気除去キー１６１の押下時間を計時して、静電気除去キー１６１の押下時間が規定時間に達するか否かを判定する（ステップＳ１０３）。ここで、規定時間は一例として「２秒」である。また、規定時間のデータは、ＲＯＭ２０２に記憶されている。そして、ＰＯＳ端末１０１のＣＰＵ２０１は、静電気除去キー１６１の押下時間が規定時間に達しなかったと判定した場合には（ステップＳ１０３のＮ）、オペレータ用表示器１０５にエラーメッセージＭ２（図６参照）を表示する（ステップＳ１０５）。
【００２１】
図６は、エラーメッセージＭ２が表示されたオペレータ用表示器１０５を示す模式図である。グレーアウトされた基本画面上のウインドウＷには、静電気除去メッセージＭ１（図５参照）に代えて、エラーメッセージＭ２が表示されている。エラーメッセージＭ２は、一例として、「２秒以上押下して下さい」という文字列である。ここで、エラーメッセージＭ２中の「２秒」とはＲＯＭ２０２に記憶されている規定時間である。このようなエラーメッセージＭ２によって、オペレータに対しては、静電気除去キー１６１を規定時間以上押下することを促すことができる。
【００２２】
図４の説明に戻る。ＰＯＳ端末１０１のＣＰＵ２０１は、オペレータ用表示器１０５にエラーメッセージＭ２を表示した後、例えば一定時間経過後に、再びオペレータ用表示器１０５に静電気除去メッセージＭ１を表示して（ステップＳ１０１）、静電気除去キー１６１の押下に待機する（ステップＳ１０２）。
【００２３】
そして、静電気除去キー１６１が押下されて（ステップＳ１０２のＹ）、ＰＯＳ端末１０１のＣＰＵ２０１が、静電気除去キー１６１の押下時間が規定時間に達したと判定した場合には（ステップＳ１０３のＹ）、ＰＯＳ端末１０１のＣＰＵ２０１は、オペレータ用表示器１０５に表示中のウインドウＷを消去して基本画面のグレーアウトを解除し、「禁止モード」の設定を解除する（ステップＳ１０４）。「禁止モード」の設定が解除されることにより、禁止されていたキーボード１０４及びバーコードスキャナ１１１の入力機能が復帰するので、ＰＯＳ端末１０１のＣＰＵ２０１に商品販売データ処理を実行させることが可能となる。
【００２４】
そして、本実施の形態のＰＯＳ端末１０１によれば、禁止モードの設定を解除してＰＯＳ端末１０１のＣＰＵ２０１に商品販売データ処理を実行させるためには、オペレータは静電気除去キー１６１を押下しなくてはならない。このとき、オペレータは必ず静電気除去シート１３１に触れることになるので、オペレータの静電気は静電気除去シート１３１によって放電される。また、本実施の形態では、禁止モードの設定解除のためには、オペレータは、静電気除去キー１６１、つまり、静電気除去シート１３１に規定時間（例えば２秒）以上触れなくてはいけないため、静電気の除去がより確実に行われる。
【図面の簡単な説明】
【００２５】
【図１】ＰＯＳ端末を示す外観斜視図である。
【図２】キーボードを示す模式図である。
【図３】ＰＯＳ端末のハードウェア構成を示すブロック図である。
【図４】ＰＯＳ端末のＣＰＵが実行する処理の流れを示すフローチャートである。
【図５】静電気除去メッセージが表示されたオペレータ用表示器を示す模式図である。
【図６】エラーメッセージが表示されたオペレータ用表示器を示す模式図である。
【符号の説明】
【００２６】
１０１…ＰＯＳ端末（商品販売データ処理装置）、１０４…キーボード（入力部）、１０５…オペレータ用表示器（表示部）、１１１…バーコードスキャナ（入力部）、１３１…静電気除去シート（静電気除去材）、１６１…静電気除去キー、２０１…ＣＰＵ（情報処理部）、２５２…コンピュータプログラム、Ｍ１…静電気除去メッセージ、Ｍ２…エラーメッセージ
【図１】
2010113492.tif 000003
【図２】
2010113492.tif 000004
【図３】
2010113492.tif 000005
【図４】
2010113492.tif 000006
【図５】
2010113492.tif 000007
【図６】
2010113492.tif 000008